(57)【要約】【課題】電気部品箱の小型化を促進し、内部に収容される電気制御部品に対する冷却効率の向上を図り、塵埃の侵入を阻止し、制御基板にかかる応力の軽減をなし、組立ておよびサービス作業性の向上を図れる電気部品箱を備えた空気調和機の室外ユニットを提供する。【解決手段】圧縮機と、熱交換器と、この熱交換器に対向して配置される送風機などを収容するユニット本体１と、このユニット本体内に配置され、上記圧縮機および送風機などを駆動制御するための電気制御部品Ｓを収容する電気部品箱１５とを備え、上記電気部品箱は、全ての上記電気制御部品が実装される制御基板Ｐと、この制御基板を取付け支持し、かつ制御基板を上部に位置し、全ての上記電気制御部品を下方向に向けて収容する部品箱本体１６とを具備した。【選択図】図１
2004037082.tif 000002
【特許請求の範囲】
【請求項１】
圧縮機と、熱交換器と、この熱交換器に対向して配置される送風機などを収容するユニット本体と、このユニット本体内に配置され、上記圧縮機および送風機などを駆動制御するための電気制御部品を収容する電気部品箱とを備えた空気調和機の室外ユニットにおいて、上記電気部品箱は、全ての上記電気制御部品が実装される制御基板と、この制御基板を取付け支持し、かつ制御基板を上部に位置し、全ての上記電気制御部品を箱内の空気流通路が形成される下方向に向けて収容する部品箱本体とを具備したことを特徴とする空気調和機の室外ユニット。
【請求項２】
上記制御基板には、その側辺部に発熱量の大なる電気制御部品が実装され、この発熱量の大なる電気制御部品には放熱器が取着され、この放熱器と上記制御基板の側縁部と間に形成される隙間に、隙間シールが介設されることを特徴とする請求項１記載の空気調和機の室外ユニット。
【請求項３】
上記放熱器は、複数枚の冷却フィンが一体に突設され、これら冷却フィンを互いに放射状に広げたことを特徴とする請求項２記載の空気調和機の室外ユニット。
【請求項４】
上記部品箱本体は、上記制御基板を取付け支持する樹脂モールド材からなる取付け支持体と、この取付け支持体の外周面を覆い、かつ取付け支持体とともに電気制御部品を収容する金属板からなるケース体とを備えたことを特徴とする請求項１記載の空気調和機の室外ユニット。
【請求項５】
上記取付け支持体は、上記制御基板の周縁部を取付け支持することを特徴とする請求項４記載の空気調和機の室外ユニット。
【請求項６】
上記取付け支持体は、上記制御基板を下方から受ける支柱部を備えたことを特徴とする請求項４記載の空気調和機の室外ユニット。
【請求項７】
上記取付け支持体は、補強を兼用するとともに内部に導かれる空気を整流する整流部を備えたことを特徴とする請求項４記載の空気調和機の室外ユニット。
【請求項８】
上記取付け支持体は、その一部がケース体から突出され、この突出部は上記電気制御部品に接続されるリード線を収納保持する保持部であることを特徴とする請求項４記載の空気調和機の室外ユニット。
【請求項９】
上記ケース体は、その下面部に上記電気制御部品に対する冷却空気導入用のスリットを備えたことを特徴とする請求項４記載の空気調和機の室外ユニット。
【請求項１０】
上記ケース体は、その下面部に上記電気制御部品の当たり防止のための突面部を備えたことを特徴とする請求項４記載の空気調和機の室外ユニット。
【請求項１１】
上記ケース体下面部の突面部は、冷却空気導入用のスリットを備えたことを特徴とする請求項１０記載の空気調和機の室外ユニット。
【請求項１２】
上記ケース体は、その下面部にＳＬコネクタ取付け板が設けられ、
　このＳＬコネクタ取付け板は、ケース体下面部に設けられる上記スリットの冷却空気導入方向側に位置設定したことを特徴とする請求項９および請求項１１記載の空気調和機の室外ユニット。
【請求項１３】
上記ケース体は、その下面部に開口部が設けられ、上記取付け支持体は、上記ケース体開口部に挿嵌して、ケース体下面部から突出され、この突出部分から内部空気を導出する流出口体を備えたことを特徴とする請求項４記載の空気調和機の室外ユニット。
【請求項１４】
上記ケース体は、その周面一部に内部空気導出用のスリットを備えたことを特徴とする請求項４記載の空気調和機の室外ユニット。
【請求項１５】
上記ケース体は、上記内部空気導出用スリットの空気流出方向前方に押出し部を備えたことを特徴とする請求項１４記載の空気調和機の室外ユニット。
【請求項１６】
上記部品箱本体は、上記制御基板の上面部に着脱自在に取着される蓋体を備えたことを特徴とする請求項１記載の空気調和機の室外ユニット。
【請求項１７】
上記蓋体は、上記制御基板との間に絶縁シートが介在されることを特徴とする請求項１６記載の空気調和機の室外ユニット。
【請求項１８】
上記絶縁シートは、その上面側に上部からの圧力に耐えるための突起を備えたことを特徴とする請求項１７記載の空気調和機の室外ユニット。
【請求項１９】
上記絶縁シートと制御基板との間にはトラッキングしずらいシートを介在させたことを特徴とする請求項１７記載の空気調和機の室外ユニット。
【請求項２０】
上記絶縁シートは、上記電気制御部品を実装した制御基板を収容するとともに、樹脂封止して、制御基板と一体化したことを特徴とする請求項１７記載の空気調和機の室外ユニット。
【発明の詳細な説明】
【技術分野】
【０００１】
　本発明は、空気調和機の室外ユニットに係り、特に、室外ユニット内に配置される電気部品箱構成の改良に関する。
【背景技術】
【０００２】
　普通用いられる空気調和機は、被空調室に取付けられる室内ユニットと、建屋外部に据付けられる室外ユニットとから構成され、各ユニット間を冷媒管や電気配線等を介して接続してなる。上記室外ユニットには、室外側熱交換器、圧縮機、四方弁などの弁類、送風機、および圧縮機や送風機などを電気的に制御する電気制御部品を収容する電気部品箱などが備えられる。　
　そして、近時、冷凍サイクル制御として圧縮機の周波数制御が一般的となっており、そのため上記電気制御部品は、ＣＰＵ、コンデンサ、トランス、整流器およびインバータのスイッチング用トランジスタとしてのジャイアント・トランジスタ（以下、Ｇ・ＴＲと称する）、制御基板（ＰＣ板）ほかの多数の部品から構成される。
【０００３】
　特に上記Ｇ・ＴＲは、スイッイング作用にともなっての放熱量が大であり、密閉した電気部品箱内部に収容すると、箱内が異常高温化して、それ自体は勿論、他の電気制御部品に熱的悪影響を与えてしまう。そこで、電気部品箱の外面部位に放熱器を設け、Ｇ・ＴＲの熱を効率よく放熱する構成が採用されている。上記放熱器は、伝熱性に優れたアルミニューム材からなり、押出し成形によって得られる。
【発明の開示】
【発明が解決しようとする課題】
【０００４】
　このように、放熱器以外の上記電気制御部品は、全て電気部品箱内に収容されるのが基本である。しかしながら、たとえば本出願人が特願平５−２５１７９５号で開示したように、比較的大型の電気制御部品であるコンデンサ、整流器およびＧ・ＴＲなどは制御基板に実装されていない。　
　これは、電気部品箱の配置スペースの関係から、電気部品箱を上下方向および左右方向に長く、奥行き方向に短い、平面視で薄箱状に形成するため、制御基板を立設状態で収容することに起因する。すなわち、制御基板を上下，左右方向に大きな薄箱状の電気部品箱内に収容するところから、比較的大型のコンデンサ、整流器およびＧ・ＴＲなどの電気制御部品を実装することができず、これらは別途配置し、互いにリード線を介して電気的に接続するに至っている。
【０００５】
　そのために、制御基板と、ここに実装されない電気制御部品との間のリード線本数が多くなって、配線処理が面倒なものとなっているし、制御基板の配置の自由度が少なく、電気部品箱自体の小型化が阻まれている。　
　加えて、この配置の制約から制御基板とＧ・ＴＲやコンデンサなどとは必ずしも同一方向に配置されず、全ての電気部品箱内の電気制御部品を効率よく冷却するには、多くの冷却用スリットを開口しなくてはならず、またスリットの開口が多くなれば電気部品箱内への塵埃の侵入が多くなる。このように、電気部品箱内部に対する冷却効率を十分にしようとすると、箱内への塵埃の侵入を阻止し難いなどの不具合があった。
【０００６】
　本発明は、上記事情に鑑みなされたものであり、その目的とするところは、電気部品箱の小型化を促進し、内部に収容される電気制御部品に対する冷却効率の向上を図るとともに塵埃の侵入を阻止し、制御基板にかかる応力の軽減をなし、組立ておよびサービス作業性の向上を図れる電気部品箱を備えた空気調和機の室外ユニットを提供しようとするものである。
【課題を解決するための手段】
【０００７】
　上記目的を満足するための本発明の空気調和機の室外ユニットは、請求項１として、圧縮機と、熱交換器と、この熱交換器に対向して配置される送風機などを収容するユニット本体と、このユニット本体内に配置され、上記圧縮機および送風機などを駆動制御するための電気制御部品を収容する電気部品箱とを備えた空気調和機の室外ユニットにおいて、上記電気部品箱は、全ての上記電気制御部品が実装される制御基板と、この制御基板を取付け支持し、かつ制御基板を上部に位置し、全ての上記電気制御部品を箱内の空気流通路が形成される下方向に向けて収容する部品箱本体とを具備したことを特徴とする。
【０００８】
　請求項２として、請求項１記載の上記制御基板には、その側辺部に発熱量の大なる電気制御部品が実装され、この発熱量の大なる電気制御部品には放熱器が取着され、この放熱器と上記制御基板の側縁部との間に形成される隙間に隙間シールが介設されることを特徴とする。　
　請求項３として、請求項２記載の上記放熱器は、複数枚の冷却フィンが一体に突設され、これら冷却フィンを互いに放射状に広げたことを特徴とする。
【０００９】
　請求項４として、請求項１記載の上記部品箱本体は、上記制御基板を取付け支持する樹脂モールド材からなる取付け支持体と、この取付け支持体の外周面を覆い、かつ取付け支持体とともに電気制御部品を収容する金属板からなるケース体とを備えたことを特徴とする。　
　請求項５として、請求項４記載の上記取付け支持体は、上記制御基板の周縁部を取付け支持することを特徴とする。　
　請求項６として、請求項４記載の上記取付け支持体は、上記制御基板を下方から受ける支柱部を備えたことを特徴とする。　
　請求項７として、請求項４記載の上記取付け支持体は、補強を兼用するとともに内部に導かれる空気を整流する整流部を備えたことを特徴とする。
【００１０】
　請求項８として、請求項４記載の上記取付け支持体は、その一部がケース体から突出され、この突出部は上記電気制御部品に接続されるリード線を収納保持する保持部であることを特徴とする。　
　請求項９として、請求項４記載の上記ケース体は、その下面部に電気制御部品に対する冷却空気導入用のスリットを備えたことを特徴とする。　
　請求項１０として、請求項４記載の上記ケース体は、その下面部に上記電気制御部品の当たり防止のための突面部を備えたことを特徴とする。　
　請求項１１として、請求項１０記載の上記ケース体下面部の突面部は、冷却空気導入用のスリットを備えたことを特徴とする。
【００１１】
　請求項１２として、請求項９および請求項１１記載の上記ケース体は、その下面部にＳＬコネクタ取付け板が設けられ、このＳＬコネクタ取付け板は、ケース体下面部に設けられる上記スリットの冷却空気導入方向側に位置設定したことを特徴とする。　
　請求項１３として、請求項４記載の上記ケース体は、その下面部に開口部が設けられ、上記取付け支持体は、上記ケース体開口部に挿嵌して、ケース体下面部から突出され、この突出部分から内部空気を導出する流出口体を備えたことを特徴とする。　
　請求項１４として、請求項４記載の上記ケース体は、その周面一部に内部空気導出用のスリットを備えたことを特徴とする。
【００１２】
　請求項１５として、請求項１４記載の上記ケース体は、上記内部空気導出用スリットの空気流出方向前方に押出し部を備えたことを特徴とする。　
　請求項１６として、請求項１記載の上記部品箱本体は、上記制御基板の上面部に着脱自在に取着される蓋体を備えたことを特徴とする。　
　請求項１７として、請求項１６記載の上記蓋体は、上記制御基板との間に絶縁シートが介在されることを特徴とする。　
　請求項１８として、請求項１７記載の上記絶縁シートは、その上面側に上部からの圧力に耐えるための突起を備えたことを特徴とする。　
　請求項１９として、請求項１７記載の上記絶縁シートと制御基板との間には、トラッキングしずらいシートを介在したことを特徴とする。　
　請求項２０として、請求項１７記載の上記絶縁シートは、上記電気制御部品を実装した制御基板を収容するとともに、樹脂封止して制御基板と一体化したことを特徴とする。
【００１３】
　上記課題を解決する手段を備えることにより、　
　請求項１の発明では、全ての電気制御部品が制御基板に実装され、配線処理が簡素化して、電気部品箱としての組立て作業性およびサービス性がよくなるとともに、全ての電気制御部品が箱内の空気流通路が形成される下方向を向いているので、複雑な空気流通路を設定しなくてもよく、冷却用の開口を多くしなくても冷却効率が向上する。　
　また、電気部品箱自体も上下方向に薄箱状になり、室外ユニット内での配置自由度が増す。
【００１４】
　請求項２および請求項３の発明では、特に発熱量の大なる電気制御部品に対する冷却効率がよい。　
　請求項４の発明では、部品箱本体は、樹脂モールド材の取付け支持体および金属板のケース体との２重構造となって剛性を確保し、内部に収容する電気部品箱や制御基板に対する保護を確実になすとともに、ノイズを遮断する。　
　請求項５の発明ないし請求項８の発明では、上記取付け支持体は、制御基板に対する保持と、電気制御部品に対する冷却を効率よく行え、配線処理が容易になる。
【００１５】
　請求項９の発明ないし請求項１５の発明では、上記ケース体は、部品箱本体の剛性を確保し、内部に収容する電気制御部品に対する冷却を効率よく行い、部品箱本体内部への塵埃の侵入を阻止する。　
　請求項１６の発明では、制御基板の裏面側になる上面部を蓋体で遮蔽し、制御基板を保護する。　
　請求項１７の発明ないし請求項１９の発明では、蓋体と制御基板との間の絶縁シートによって、熱的、電気的な絶縁をなすとともに耐圧効果が得られる。　
　請求項２０の発明では、絶縁シートの制御基板に対する樹脂封止により、塩害に対する信頼性を高める。
【発明の効果】
【００１６】
　請求項１の発明によれば、全ての電気制御部品を制御基板に実装し、かつ下方向に向けて部品箱本体内に収容したので、配線処理が簡素化して、電気部品箱としての組立て作業性およびサービス性がよくなるとともに、全ての電気制御部品が箱内の空気流通路が形成される下方向を向いているので、複雑な空気流通路を設定しなくてもよく、冷却用の開口を多くしなくても冷却効率が向上するなどの効果を奏する。
【００１７】
　請求項２および請求項３の発明では、放熱器の形状構造を限定し、熱漏れ防止構造を採用したので、特に発熱量の大なる電気制御部品に対する冷却効率の向上を得られる効果を奏する。　
　請求項４の発明では、部品箱本体は、樹脂モールド材の取付け支持体および金属板のケース体との２重構造としたので、部品箱本体の剛性を確保して、内部に収容する電気部品箱や制御基板に対する保護を確実になすとともに、ノイズの遮断を図れる効果を奏する。
【００１８】
　請求項５の発明ないし請求項８の発明では、取付け支持体の制御基板取付け構造と、整流構造および配線保持構造を限定したので、制御基板に対する確実な保持と、応力低減化および電気制御部品に対する冷却効率の向上と配線処理の簡易化などの効果を奏する。　
　請求項９の発明ないし請求項１５の発明では、ケース体の冷却空気導入構造と内部空気導出構造および水滴・塵埃侵入防止構造を限定したので、部品箱本体の剛性を確保するほか、電気制御部品に対する冷却を効率よく行えるとともに、水滴・塵埃の侵入を阻止して、信頼性の向上を図れる効果を奏する。
【００１９】
　請求項１６の発明では、制御基板上面部に蓋体を着脱自在に取着したので、蓋体で制御基板を遮蔽し、制御基板を保護する効果を奏する。　
　請求項１７の発明ないし請求項１９の発明では、蓋体と制御基板との間に絶縁シートを介在させ、この構成を限定したので、制御基板に対する熱的、電気的な絶縁をなし、耐圧を図れるなどの効果を奏する。　
　請求項２０の発明では、絶縁シートに制御基板を樹脂封止するようにしたので、制御基板の塩害に対する信頼性を高める効果を奏する。
【発明を実施するための最良の形態】
【００２０】
［実施例］
　以下、本発明の実施の形態を、図面を参照して説明する。　
　図６に、空気調和機を構成する室外ユニットを示す。図中１は、外筐であるユニット本体であり、吹出しグリル２が設けられる前面パネル３および上面板４が一体化された分割体と、側面板５と背面板６およびここでは図示しない底面板が一体化された分割体との組合せからなる。　
　ユニット本体１内部は仕切り板７によって二分される。仕切られた一室８ａには、一方の側面板５および背面板６に沿って平面Ｌ字状に形成される室外熱交換器９が配置される。そして、残りのスペースには、送風機１０が配置される。
【００２１】
　仕切られた他室８ｂには圧縮機１１が配置され、この圧縮機１１に接続される配管１２および四方弁や図示しない膨張弁等の弁類１３が収容される。この室８ｂに対向する側面板５には、図示しないパックドバルブをカバーするカバー板１４が取付けられる。　
　なお、上記仕切り板７の上端部は切欠されていて、この切欠部７ａに電気部品箱１５が載設される。上記電気部品箱１５は、上下方向に薄く、左右方向と奥行き方向に大きな薄箱状に形成される。　
　電気部品箱１５の一端は仕切り板７から一室８ａ側の送風機１０近傍まで延出され、他端は他室８ｂの圧縮機１１と接続配管１２上部まで延出される。すなわち、電気部品箱１５は、仕切り板７によって仕切られるユニット本体１内の両室８ａ，８ｂ上端部に跨がって配置されることになる。
【００２２】
　さらに、上記電気部品箱１５について詳述する。　
　図１に示すように、この電気部品箱１５は、下面側に全ての電気制御部品Ｓが実装される制御基板Ｐと、この制御基板Ｐを取付け支持する部品箱本体１６とを備えている。　
　上記部品箱本体１６は、その上端部に上記制御基板Ｐを取付け支持する樹脂モールド材からなる取付け支持体１７と、この取付け支持体１７の外周面を覆い、かつ取付け支持体とともに下方向に向けられた電気制御部品Ｓを収容する金属板からなるケース体１８およびこれら取付け支持体１７およびケース体１８の上面部を覆う蓋体１９とから構成される。
【００２３】
　したがって、制御基板Ｐの上面部には少しの電気制御部品Ｓも露出しておらず、単に制御基板Ｐにハンダ付けされる電気制御部品Ｓの取付け用脚部（図では省略する）が露出するにすぎない。　
　図３にも示すように、上記制御基板Ｐには、その長手方向の一側辺部に発熱量の大なる電気制御部品ＳであるＧ・ＴＲおよびこのＧ・ＴＲと直列的に並んで、レクチ（整流器）が実装される。
【００２４】
　これらＧ・ＴＲおよびレクチなど発熱量の大なる電気制御部品Ｓから発生する熱を可能な限り部品箱本体１６内部に取り入れないようにするため、これらは制御基板Ｐ側辺部からある程度突出した状態で実装される。　
　Ｇ・ＴＲおよびレクチＳの外面側には、伝熱性のある接着剤が塗布され、放熱器２０が密着される。さらに放熱器２０には複数の取付けねじ２１…が挿通され、Ｇ・ＴＲおよびレクチＳを貫通して放熱器２０の支持部２２に取着される。
【００２５】
　この状態で放熱器２０上端部と制御基板Ｐ側縁部と間に隙間が形成されることとなり、そのままでは隙間から塵埃等が部品箱本体１６内に侵入してしまう。そこで、放熱器２０と制御基板Ｐ側縁部との隙間に樹脂モールド材からなる隙間シール２３を介設して、隙間を完全に閉塞して塵埃等の侵入を確実に阻止する。　
　上記放熱器２０は、アルミニューム材の押出し成型品であり、複数枚の冷却フィン２０ａ…が一体に突設される。これら冷却フィン２０ａ…は、放熱器２０の幅方向に全長に亘って突設されるとともに、互いの冷却フィンは放射状に広げられる。
【００２６】
　図２にも示すように、上記取付け支持体１７は、平面視で矩形の枠状に形成され、その内側寸法は上記制御基板Ｐの外形寸法をわずかに上回る。長手方向に沿う両側面部１７ａ，１７ｂは、一方の側端部のみ段状の欠落部ａが形成される。他側部に、下端縁から上端部近傍に亘って逆Ｕ字状の欠落部ｂが設けられる。　
　これら両側面部１７ａ，１７ｂの内面側で、上端縁からわずかに下がった部位に、上端縁と平行に基板受け片部２４が突設される。この基板受け片部２４は、適宜途切れており、上端縁方向に引掛け爪部２５が突設される。この引掛け爪部２５と基板受け片部２４との間隔は、上記制御基板Ｐの板厚とほぼ一致する。
【００２７】
　側面部１７ｃには、上端縁に沿う内面側に押え片部２６が突設される。押え片部２６の高さ位置は、上記引掛け爪部２５の高さ位置と一致する。この側面部１７ｃの上下方向寸法は、上記段状欠落部ａ端部の上下方向寸法よりも小さい。　
　対向する側面部１７ｄは、上記両側面部１７ａ，１７ｂと同一の上下方向寸法であるけれども、わずかに両側端部のみ残され、大部分はコ字状の開口部ｃが設けられる。
【００２８】
　この側面部１７ｄの下面部には、上面視で矩形状の流出口体２７が突設される。図４にのみ示すように、流出口体２７の開口部は内側に向けられ、内部空気のみ導出し、水および塵埃の侵入を阻止する邪魔板２８が設けられる。　
　再び図２に示すように、側面部１７ｄ下端と両側面部１７ａ，１７ｂ下端から複数の桟部２９が突設され、取付け支持体１７のほぼ中央部で交差される。一部の棧部２９は上方に折曲され、各側面部１７ａ，１７ｂ，１７ｄの補強をなす。これら棧部２９を、その形態から整流部と呼ぶ。
【００２９】
　整流部２９の交差位置である、取付け支持体１７のほぼ中央部に、支柱部３０が上方へ向けて突設される。この支柱部３０上端縁の高さ位置は、上記基板受け片部２４の高さ位置と一致する。　
　一方、上記両側面部１７ａ，１７ｂ外面側で、上端縁から所定間隔下がった部位に、上端縁と平行にケース受け片部３１が突設される。このケース受け片部３１は適宜途切れて設けられ、上記段状欠落部ａ側では、ケース受け片部３１と直交して下端縁まで延出される位置決め段部３２が連設される。
【００３０】
　さらに、両側面部１７ａ，１７ｂには複数の掛止用突部３３が所定間隔を存して設けられる。一方の側面部１７ｂのみ、この外面側で、上端部近傍から下端縁に亘って所定幅の図示しない凹部が形成される。　
　側面部１７ｂと、側面部１７ｃのみ、それぞれ上端部に一対の保持部３４，３５が突設される。これら保持部３４，３５は、取付け支持体１７上端縁から上方へ突出する。
【００３１】
　このような取付け支持体１７に上記制御基板Ｐが取付け支持される。すなわち、全ての電気制御部品Ｓを実装した制御基板Ｐは、電気制御部品Ｓを下方向に向け、したがって制御基板Ｐが上部になって、長手方向の両側端縁部である下面側二辺部が基板受け片部２４上に載置される。この状態で制御基板Ｐの上面側三辺部は、引掛け爪部２５および押え片部２６にて押えられる。　
　このとき既に、制御基板Ｐの一辺部に実装されるＧ・ＴＲとレクチＳには放熱器２０が取付けられており、これらは取付け支持体側面部１７ｄの開口部ｃに嵌め込まれる。制御基板Ｐの一辺部両側端部が開口部ｃ両側の側面部１７ｄに掛合され、制御基板Ｐの位置決めがなされる。
【００３２】
　上記支柱部３０は、制御基板Ｐを下方から支持する。したがって、実装される多数の電気制御部品Ｓによる制御基板Ｐの撓み変形を抑制して、断線等の事故を確実に阻止できる。　
　上記保持部３４，３５は、電気制御部品Ｓに接続されるリード線（圧縮機リード、ファンモータリード、センサリード、ケースサーモリード、四方弁リードほか）を一括して束ねたものを収納保持する。したがって、電気部品箱１５回りの配線処理がスッキリした状態で得られる。
【００３３】
　一方、上記ケース体１８は、図１および図４に示すように、下面部１８ａと、長手方向に沿う両側面部１８ｂ，１８ｃと、短手方向に沿う両側面部１８ｄ，１８ｅとを備えている。　
　両側面部１８ｂ，１８ｃの全長寸法は、取付け支持体１７の流出口体２７が設けられる側面部１７ｄから、両側面部１７ａ，１７ｂの位置決め段部３２までの長さ寸法と一致する。その高さ寸法は、両側面部１７ａ，１７ｂのケース受け片部３１からこの下端縁までの高さ寸法と少なくとも一致し、若干程度上回る余裕があってもよい。両側面部１８ｄ，１８ｅの全長寸法は、取付け支持体１７の両側面部１７ｃ，１７ｄの全長寸法と一致する。その高さ寸法は、後述する。
【００３４】
　上記両側面部１８ｂ，１８ｃは、それぞれの上端部に一対の掛止用爪部３６，３６が離間して設けられ、さらに所定間隔を存して複数の矩形状の掛合用孔部３７…が設けられる。　
　一方の側面部１８ｂにみ、Ｒ状に押出し形成された押出し部３８が設けられる。この押出し部３８の下面部１８ａ側端部は開口され、上部側端部は袋状に閉成される。したがって、押出し部３８の下端開口からケース体１８内部へ空気の流通が自由となっている。
【００３５】
　上記押出し部３８から側面部１８ｅ側端部との間に、内部空気導出用のスリット３９が一列設けられる。この内部空気導出用スリット３９は上記押出し部３８に向けて開口される。換言すれば、内部空気導出用スリット３９の空気流出方向前方に押出し部３８が設けられることになる。　
　対向する側面部１８ｃのみ、矩形状の凹部４０が凹陥形成される。この凹部４０の横幅寸法は、上記取付け支持体１７の側面部１７ｂに設けられる図示しない凹部の横幅寸法と一致する。
【００３６】
　上記側面部１８ｄは、下面部１８ａから折曲され、かつその折曲幅は側面部１８ｂ，１８ｃの半分以下にすぎず、他の部分は開口される。この側面部１８ｄには、一対の三角状の切起し部４１が設けられ、ここにＳＬコネクタ取付け板４２の基端部が挿嵌され、かつねじ止め固定される。　
　上記ＳＬコネクタ取付け板４２は、ケース体側面部１８ｄに取付けられる部分と、ここから一旦ケース体下面部１８ａと面一に延出される部分と、斜め下方に延出される部分とからなっていて、この斜め傾斜部分にＳＬコネクタ４３が取付けられる。
【００３７】
　対向する側面部１８ｅは、両側端部のみ内側に折曲され、残り部分は開口される。そして、この下端縁は下面部１８ａから延出され、側面部１８ｅとは狭小の間隙を存して並行に折曲される引掛け部４４となっている。　
　下面部１８ａには、矩形状の突面部４５が外面（下面）側に突出形成される。この突面部４５は、上記側面部１８ｃに沿って設けられていて、この長手方向のほぼ半分のスペースである側面部１８ｄに寄せて，冷却空気導入用のスリット４６が一列に設けられる。
【００３８】
　下面部１８ａには、上記スリット４６と並行に、同様形状の冷却空気導入用のスリット４７が一列に設けられる。いずれのスリット４７も上記ＳＬコネクタ取付け板４２に近接した位置にあり、しかもそれぞれの開口部はＳＬコネクタ取付け板に対向している。　
　さらに下面部１８ａには、上記側面部１８ｅに沿って矩形状の開口部４８が設けられる。この開口部４８の両側部にＬ字状の押え片部４９，４９が外面側に切起し形成される。このようにして形成されるケース体１８であり、上述のように取付け支持体１７の外面側に覆い被さるようにして取付けられる。
【００３９】
　すなわち、ケース体両側面部１８ｂ，１８ｃの複数の掛合用孔部３７…は、取付け支持体１７の対向する位置に設けられる掛止用突部３３…に挿嵌される。ケース体側面部１８ｃの凹部４０は、取付け支持体１７の図示しない凹部に掛合する。この状態で、側面部１８ｂ，１８ｃ上端縁は取付け支持体ケース受け片部３１に掛止され、側端縁は位置決め用片部３２に掛止される。　
　さらに、ケース体側面部１８ｅは、取付け支持体１７の対向する側面部１７ｄに掛合される。他方の側面部１８ｄは、取付け支持体欠落部ａに掛合され、下面部１８ａは、欠落部ａを除く下面開口部を閉成する。
【００４０】
　したがって、特に、ねじなどの取付け具を用いることなく、ケース体１８を取付け支持体１７に対して取付けることができ、しかもケース体１８は長手方向と短手方向および上下方向ともに正確な位置決めがなされた状態で掛合される。　
　同時に、ケース体引掛け部４４は上記放熱器２０下端部に掛合され、側面部１８ｅとの間に放熱器２０端部を挟持する。ケース体下面部１８ａの開口部４８には、取付け支持体流出口体２７が挿嵌される。開口部４８両側端の押え片部４９，４９は、流出口体２７の突出下面に掛止して、位置決めをなす。流出口体２７の開口部はケース体下面部１８ａから突出され、かつ内側であるスリット４６，４７およびＳＬコネクタ取付け板４２方向に向けて開口される。
【００４１】
　同じ下面部１８ａに突面部４５が設けられるので、制御基板Ｐに実装され下方向に向けられる電気制御部品Ｓとの当たりが防止されるとともに、適宜な隙間が形成され、ここに冷却用空気が円滑に導かれて電気制御部品の冷却効率を向上させる。　
　また、特に図４に示すように、ケース体１８と取付け支持体１７との長手方向長さの設定から、取付け支持体１７一側端部がケース体１８側端部よりも外方へ突出し、部分的にオーバーハングする。
【００４２】
　そして、これら側面部１７ｃと１８ｄとの上下方向の寸法設定から、オーバーハング部分に開口部５０が形成され、制御基板Ｐ一部および電気制御部品Ｓ一部が露出することとなる。この開口部５０を利用して、電気制御部品Ｓに接続される電源コードや、電気制御部品Ｓから上記ＳＬコネクタ４３に延出し、接続されるリード線などが挿通される。　
　このようにして、取付け支持体１７にケース体１８を取付けてもなお、制御基板Ｐの上面部は完全に露出する。上記蓋体１９は、制御基板Ｐの上面露出部を遮蔽する。
【００４３】
　上記蓋体１９は、図１および図４に示すように、取付け支持体１７の上面開口部に一致する矩形状をなす上面部１９ａと、この上面部の周辺にそれぞれ折返し形成される側面部１９ｂないし１９ｅとを備えている。　
　上面部１９ａには、縦横対称位置に、４この円形突部５１…が設けられる。両側面部１９ｂ，１９ｃは、同一の折曲幅を有し、かつ一方の側面部１９ｃのみ、蓋体１９をケース体１８に組み込んだ状態で取付け支持体保持部３４，３４に対する当たりを逃げるための図示しない逃げ部が設けられる。
【００４４】
　側面部１９ｄは、両側端部に折曲される部分と、上面部１９ａからわずかに折曲される部分とからなる。対向する側面部１９ｅは、上面部１９ａから折曲形成されていて、この折曲幅は両側面部１９ｂ，１９ｃの折曲幅よりも短く、対向する側面部１９ｅの折曲幅よりも大である。　
　この蓋体１９の内面側に、図１および図５で示す、絶縁シート５２が掛合される。上記絶縁シート５２は、蓋体上面部１９ａと同一の形状面積の上面部５２ａと、蓋体側面部１９ｄと同一折曲幅の側面部５２ｂないし５２ｄと、蓋体側面部１９ｅと同一形状の側面部５２ｅを備えている。
【００４５】
　上面部５２ａの一側には、上方に突出される矩形状の突起部５３が設けられ、さらに残りのスペースに縦横３こずつの円形状の突起部５４…が設けられる。これら突起部５３，５４の突出高さは互いに同一である。　
　なお、絶縁シート５２と制御基板Ｐとの間にはトラッキングしずらいシート５５が介在し、このシートは絶縁シート５２側に張り付けられている。
【００４６】
　そして、絶縁シート５２の各側面部５２ｂないし５２ｅは蓋体１９の対応する各側面部１９ｂないし１９ｅ内面側に掛合される。円形状突起部５４…のうちの４こには、蓋体上面部１９ａの円形突部５１…が掛合され、絶縁シート５２の確実な位置決めをなす。　
　絶縁シート５２を掛合した蓋体１９は、制御基板Ｐを取付けた取付け支持体１７と、これを覆うケース体１８に対して取付けられる。すなわち、蓋体側面部５２ｅを上記放熱器２０取付け側に対向させ、そのまま被冠する。
【００４７】
　蓋体両側面部１９ｂ，１９ｃ内面は、取付け支持体側面部１７ａ，１７ｂのケース受け片部３１およびケース体側面部１８ｂ，１８ｃ外面に掛合し、かつその外面はケース体引掛け爪部３６…によって弾性的に押さえ付けられる。　
　蓋体側面部１９ｄ内面は、取付け支持体側面部１７ｃ外面に掛合され、かつここに設けられる保持部３５，３５との隙間に挿嵌される。対向する側面部１９ｅは放熱器２０端部に掛合するとともに、ケース体側面部１８ｅからわずかに突出する。ただし、この突出側では隙間シール２３が放熱器２０と制御基板Ｐとの隙間を埋めているので、内部に対する少しの隙間もない。
【００４８】
　ここでも蓋体１９の着脱は極めて容易である。すなわち、蓋体１９を装着する場合は、開口部が設けられる側面部１９ｅを放熱器２０側に合わせて押えれば、ワンタッチで装着が完了する。蓋体１９を取外しするには、放熱器２０側の蓋体１９突出部分を押し上げれば、簡単に外れる。　
　なお、上記絶縁シート５２に設けられるそれぞれの突起部５３，５４…は、蓋体上面部１９ａ内面に当接し、この状態で蓋体１９上部からの圧力に耐えることができる。　
　このような電気部品箱１５が、先に図６で説明したように、仕切り板７上端部に載設される。放熱器２０部分が突出する室８ａには熱交換器９とともに送風機１０が配置され、冷凍サイクル運転にともなって前面パネル３の吹出しグリル２側へ送風作用をなす。
【００４９】
　したがって、この室８ａは負圧化し、放熱器２０に対して冷却風が送風され、十分な放熱効果が得られる。しかも、放熱器２０の幅方向に全長に亘って突設される冷却フィン２０ａ…は、互いに放射状に広げられるので、フィン間を流通する送風量が増大し、より完全な放熱作用をなす。　
　この室８ａに位置するケース体側面部１８ｂのスリット３９から、電気制御部品Ｓから放散された熱で高温化した部品箱本体１６内部空気が導出され、内部の昇温化を阻止する。
【００５０】
　なお、このスリット３９の開口方向に押出し部３８が突設されており、この押出し部３８は電気部品箱１５がユニット本体１内に配置された状態で前面パネル３に押し付けられるので、ケース体側面部１８ｂ側での室８ａと８ｂとの連通を阻止し、スリット３９開口部への空気流入を阻止する。　
　ケース体下面部１８ａから突出する流出口体２７からも、部品箱本体１６内部の昇温化した空気が流出する。流出口体２７開口部に備えた邪魔板２８により水滴や塵埃の侵入を阻止でき、これらが内部の電気制御部品Ｓに付着することなく、信頼性向上に寄与する。また、ケース体下面部１８ａに設けられる２列のスリット４６，４７から冷却用空気が部品箱本体１６内部に導入され、電気制御部品Ｓを冷却して昇温化を阻止する。
【００５１】
　これらスリット４６，４７は、ＳＬコネクタ取付け板４２に対向して開口しており、言わば冷却空気の導入側にＳＬコネクタ取付け板４２が位置する。しかも、この取付け板４２は斜め下方に折曲されており、ＳＬコネクタ取付け板がスリット４６，４７を介して部品箱本体１６内への水滴の侵入を阻止する、水切り機能を有する。　
　特に、取付け支持体１７に設けられる補強を兼用した整流部２９は、上記スリット４６，４７から部品箱本体１６内部に導入された冷却用空気を整流して電気制御部品Ｓに導くこととなり、より冷却効率が向上する。
【００５２】
　このように、電気部品箱１５が室８ａおよび８ｂに跨がって配置され、室８ｂ側のスリット４６，４７および開口部５０から箱内に冷却空気を導き、整流部２９によって整流して室８ａ側の流出口体２７およびスリット３９からその空気を流出させるので、制御基板Ｐ上の電気制御部品Ｓが箱内の空気流通路が形成される下方向を向いていることと相まって、箱内を流れる冷却用空気が効率よく電気制御部品Ｓを冷却する。　
　蓋体１９と制御基板Ｐとの間に介在する絶縁シート５２の制御基板Ｐ側にトラッキングに強い材質のシート５５を介在させたので、たとえ絶縁シート５２が制御基板Ｐに接触するようなことがあっても、高電圧に耐え得る。　
　なお、上記絶縁シート５２内に電気制御部品Ｓを実装した制御基板Ｐを収容し、そのまま樹脂封止して、制御基板Ｐと一体化してもよい。この状態で、電気制御部品Ｓの制御基板Ｐに対するハンダ付け部分が全て樹脂封止されるから、塩害に対して極めて強い構成となる。
【図面の簡単な説明】
【００５３】
【図１】本発明の実施の形態を示す、電気部品箱の分解した斜視図。
【図２】同実施の形態を示す、電気部品箱を構成する取付け支持体の斜視図。
【図３】同実施の形態を示す、制御基板および取付け支持体から放熱器を分解した斜視図。
【図４】同実施の形態を示す、電気部品箱の斜視図。
【図５】同実施の形態を示す、絶縁シートの拡大した縦断面図。
【図６】同実施の形態を示す、電気部品箱を取付けた空気調和機室外ユニットの一部を破断した斜視図。
【符号の説明】
【００５４】
　１１…圧縮機、９…熱交換器、１０…送風機、１…ユニット本体、１５…電気部品箱、Ｓ…電気制御部品、Ｐ…制御基板、１６…部品箱本体、２０…放熱器、２０ａ…冷却フィン、２３…隙間シール、１７…取付け支持体、１８…ケース体、３０…支柱部、２９…整流部、３４，３５…保持部、４７…（冷却空気導入用）スリット、４５…突面部、４６…（冷却空気導入用）スリット、４２…ＳＬコネクタ取付け板、４８…ケース体開口部、２７…流出口体、３９…（内部空気導出用）スリット、３８…押出し部、１９…蓋体、５２…絶縁シート、５４，５５…突起部、５５…（トラッキングしずらい）シート。
【図１】
2004037082.tif 000003
【図２】
2004037082.tif 000004
【図３】
2004037082.tif 000005
【図４】
2004037082.tif 000006
【図５】
2004037082.tif 000007
【図６】
2004037082.tif 000008
【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
圧縮機と、熱交換器と、この熱交換器に対向して配置される送風機などを収容するユニット本体と、このユニット本体内に配置され、上記圧縮機および送風機などを駆動制御するための電気制御部品を収容する電気部品箱とを備えた空気調和機の室外ユニットにおいて、上記電気部品箱は、全ての上記電気制御部品が実装される制御基板と、この制御基板を取付け支持し、かつ制御基板を上部に位置し、全ての上記電気制御部品を箱内の空気流通路が形成される下方向に向けて収容する部品箱本体とを具備し、
　上記部品箱本体は、上記制御基板を取付け支持する樹脂モールド材からなる取付け支持体と、この取付け支持体の外周面を覆い、かつ取付け支持体とともに電気制御部品を収容する金属板からなるケース体とを備えたことを特徴とする空気調和機の室外ユニット。
【手続補正２】
【補正対象書類名】明細書
【補正対象項目名】０００７
【補正方法】変更
【補正の内容】
【０００７】
　上記目的を満足するため本発明の空気調和機の室外ユニットは、圧縮機と、熱交換器と、この熱交換器に対向して配置される送風機などを収容するユニット本体と、このユニット本体内に配置され、圧縮機および送風機などを駆動制御するための電気制御部品を収容する電気部品箱とを備えた空気調和機の室外ユニットにおいて、上記電気部品箱は、全ての電気制御部品が実装される制御基板と、この制御基板を取付け支持し、かつ制御基板を上部に位置し、全ての電気制御部品を箱内の空気流通路が形成される下方向に向けて収容する部品箱本体とを具備し、上記部品箱本体は、制御基板を取付け支持する樹脂モールド材からなる取付け支持体と、この取付け支持体の外周面を覆い、かつ取付け支持体とともに電気制御部品を収容する金属板からなるケース体とを備えた。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
　上記課題を解決する手段を備えることにより、本発明では、全ての電気制御部品が制御基板に実装され、配線処理が簡素化して、電気部品箱としての組立て作業性およびサービス性がよくなるとともに、全ての電気制御部品が箱内の空気流通路が形成される下方向を向いているので、複雑な空気流通路を設定しなくてもよく、冷却用の開口を多くしなくても冷却効率が向上する。また、電気部品箱自体も上下方向に薄箱状になり、室外ユニット内での配置自由度が増す。そして、部品箱本体は、樹脂モールド材の取付け支持体および金属板のケース体との２重構造となって剛性を確保し、内部に収容する電気部品箱や制御基板に対する保護を確実になすとともに、ノイズを遮断する。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
　本発明によれば、全ての電気制御部品を制御基板に実装し、かつ下方向に向けて部品箱本体内に収容したので、配線処理が簡素化して、電気部品箱としての組立て作業性およびサービス性がよくなるとともに、全ての電気制御部品が箱内の空気流通路が形成される下方向を向いているので、複雑な空気流通路を設定しなくてもよく、冷却用の開口を多くしなくても冷却効率が向上する。そして、部品箱本体は、樹脂モールド材の取付け支持体および金属板のケース体との２重構造としたので、部品箱本体の剛性を確保して、内部に収容する電気部品箱や制御基板に対する保護を確実になすとともに、ノイズの遮断を図れるなどの効果を奏する。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】